(57)【特許請求の範囲】
【請求項１】
シートを印刷する印刷機（１）の駆動装置とは別個に制御可能な駆動装置（１０）と、
前記シートを印刷する前記印刷機（１）の駆動装置とは別個に制御可能な前記駆動装置（１０）により駆動される供給ドラム（８）と、を有し、
回転する前記供給ドラム（８）を用いて前記シートを印刷する前記印刷機（１）に供給する装置であって、
前記供給ドラム（８）の周囲にずらされて配置された少なくとも２つの位置（Ａ；Ｂ；Ｃ；Ｄ）に複数の搬送路（２２，２３，２４，２５）が配置されており、
前記供給ドラム（８）は、
前記シートを印刷する前記印刷機（１）の駆動装置とは別個に制御可能な前記駆動装置（１０）により前記印刷機（１）に対して正又は負に加速駆動可能であり、
前記位置（Ａ，Ｂ，Ｃ，Ｄ）においてシートを受け取るように形成されており、前記シートを受け取る前記位置（Ａ，Ｂ，Ｃ，Ｄ）に応じて加速駆動されるグリッパ装置（２１）を有する
ことを特徴とする、シートを供給する装置。
【請求項２】
前記グリッパ装置（２１）は、サクショングリッパ（３４，３６）として形成されている、請求項１記載の装置。
【請求項３】
前記サクショングリッパ（３６）は、旋回可能に支持されている、請求項２記載の装置。
【請求項４】
前記サクショングリッパ（３６）の旋回動作は、カムローラ伝動機構（３７，３８）により発生可能である、請求項３記載の装置。
【請求項５】
前記グリッパ装置は、機械式に操作可能なグリッパ（３９）を有する、請求項１記載の装置。
【請求項６】
前記機械式に操作可能なグリッパ（３９）の旋回動作は、カムローラ伝動機構（３７，３８）により発生可能である、請求項５記載の装置。
【請求項７】
制御カム（３８）が回転可能に配置されている、請求項６記載の装置。
【請求項８】
前記供給ドラム（８）のための第１の駆動装置（１０）とは別個に配置される、前記制御カム（３８）を駆動する第２の駆動モータ（４３）を備える、請求項７記載の装置。
【請求項９】
前記サクショングリッパ（３４，３６）用の吸込み空気を制御する回転弁（４７）を備え、該回転弁（４７）は、シート搬送のために選択されるそれぞれの前記搬送路（２２〜２５）の位置（Ａ；Ｂ；Ｃ；Ｄ）に応じて制御可能である、請求項２又は３記載の装置。
【請求項１０】
各前記搬送路（２２〜２５）に、駆動可能な搬送ローラ対（３２，３３）が配設されている、請求項１から９までのいずれか１項記載の装置。
【請求項１１】
請求項１から１０までのいずれか１項記載の装置を備えるデジタル式枚葉印刷機。
【発明の詳細な説明】
【技術分野】
【０００１】
本発明は、シートを処理する機械、特にデジタル式印刷機とは別個に制御可能な駆動装置を有し、回転する供給ドラムを用いてシートを処理する機械にシートを供給する装置に関する。
【背景技術】
【０００２】
下記特許文献１において、見当合わせされたシートを停止状態でグリッパ装置を用いて受け取り、機械速度に加速し、オフセット印刷機のシリンダに引き渡す供給ドラムが公知である。
【先行技術文献】
【特許文献】
【０００３】
【特許文献１】独国特許出願公開第３１３８５４０号明細書
【発明の概要】
【発明が解決しようとする課題】
【０００４】
本発明の根底にある課題は、互いに異なる少なくとも２つの供給路からのシートを処理可能な印刷機にシートを供給する装置を提供することである。
【課題を解決するための手段】
【０００５】
上記課題は、本発明により請求項１の特徴により解決される。
【０００６】
好ましい態様において、グリッパ装置は、サクショングリッパとして形成されている。
【０００７】
好ましい態様において、サクショングリッパは、旋回可能に支持されている。
【０００８】
好ましい態様において、グリッパ装置は、機械式に操作可能なグリッパを有する。
【０００９】
好ましい態様において、サクショングリッパ又は機械式に操作可能なグリッパの旋回動作は、カムローラ伝動機構により発生可能である。
【００１０】
好ましい態様において、制御カムが回転可能に配置されている。
【００１１】
好ましい態様において、装置は、供給ドラムのための第１の駆動装置とは別個に配置される、制御カムを駆動する第２の駆動モータを備える。
【００１２】
好ましい態様において、装置は、サクショングリッパ用の吸込み空気を制御する回転弁を備え、回転弁は、シート搬送のために選択されるそれぞれの搬送路の位置に応じて制御可能である。
【００１３】
好ましい態様において、各搬送路に、駆動可能な搬送ローラ対が配設されている。
【発明の効果】
【００１４】
本発明の特別な利点は、供給ドラムのグリッパ装置がシートをそれぞれ異なる少なくとも２つの位置で受け取ることが可能となっている点にある。この構成により、様々な判型長さを有するシートが処理可能、例えば代わる代わる処理可能である。
【００１５】
好ましくは、既に表面印刷で印刷されたシートを供給シリンダに戻し、これを次に裏面印刷で印刷することも可能である。
【００１６】
供給路の数は、処理機械の柔軟性を決定する。
【００１７】
好ましい態様において、供給ドラムのグリッパ装置は、サクショングリッパとして形成されている。
【００１８】
吸い込み空気の作動は、自由に制御可能であるので、サクショングリッパは、あらゆるシリンダ位置で作動可能である。
【００１９】
別の好ましい態様は、従属請求項に記載されている。
【００２０】
本発明の実施の形態を図面に示し、以下に説明する。
【図面の簡単な説明】
【００２１】
【図１】デジタル式印刷機の概略断面図である。
【図２】デジタル式印刷機の供給装置の概略断面図である。
【図３】デジタル式印刷機の供給ドラムの概略断面図である。
【図４】サクショングリッパを有する供給ドラムの断面図である。
【図５】旋回可能なグリッパ装置を有する本発明における供給ドラムの第２の実施の形態を示す図である。
【図６】図４に示した供給ドラムの平面図である。
【図７】機械式のグリッパを有する供給ドラムの断面図である。
【発明を実施するための形態】
【００２２】
枚葉印刷機１、特にデジタル式印刷機は、シートを枚葉印刷機１に供給する供給装置２と、印刷されたシートをデジタル式印刷機１から排出する排出装置４とを備えている。シート３を印刷する少なくとも１つの印刷ステーション６が設けられている。シートは、供給装置２から供給ボードにより供給シリンダ８に引き渡される。供給シリンダ８は、シートを好ましくは２倍胴の渡しドラム９に移送する。渡しドラム９から、シート３は、例えば単倍胴の渡しシリンダ１１により、例えば３倍胴の印刷シリンダ１２に到達する。印刷シリンダ１２において、シート３は、インクジェット式印刷ユニット１３により印刷される。印刷されたシート３は、印刷シリンダ１２から、特に２倍胴の渡しドラムに引き渡される。この渡しドラムから、シート３は、例えば単倍胴の渡しドラム１６を介して排出装置４のチェーングリッパ１７に引き渡される。反転モードでは、渡しドラム１４は、貯えドラムとして働き、シートの後縁を後続の反転ドラム１８に引き渡す。反転ドラム１８からシート３は、シート３の裏面を印刷するために、渡しドラム１９により渡しドラム９に戻される。これにより、シート３は、印刷ユニット６においてその裏面の印刷が可能である。
【００２３】
図２に示した実施の形態において、供給ドラム８は、シートを処理する機械１とは別個に制御可能な駆動装置１０、例えば電動モータにより駆動可能である。少なくとも２つの位置、好ましくは４つの位置Ａ，Ｂ，Ｃ，Ｄが設けられており、これらの位置で、供給ドラム８のグリッパ装置２１は、シートを搬送路２２；２３；２４；２５から最低速度時又は停止状態で受け取り、その後、機械速度に加速し、後続のシート渡しドラム９に引き渡す。
【００２４】
搬送路２３は、シートパイル２６からシートを取り出す。搬送路２２は、別のシートパイル２７からシートを受け取る。搬送路２４は、シートパイル２８からシートの供給を受ける。シートパイル２８は、例えばシートパイル２６よりも短い判型長さを有している。搬送路２５は、例えば、既に表面印刷で印刷されていて、次に裏面印刷で印刷したいシートを搬送する。
【００２５】
印刷機の駆動装置とは独立して制御可能な、供給ドラム８の駆動装置１０により、供給ドラム８は、印刷機に対して正又は負に加速駆動可能である。このような駆動は例えば、供給ドラム８とシート渡しドラム９との間のシート渡し箇所から例えば位置Ｃの搬送路２３よりも遠く離れて配置されている位置Ｂの搬送路２４のシートが処理される場合に当てはまる。
【００２６】
各搬送路２２〜２５は、供給ドラム８側の端部に、駆動可能な搬送ローラ対３２，３３を有している。搬送ローラ対３２，３３は、それぞれのシートを、回転するグリッパ装置２１により規定される周辺部に近付ける。これにより、シートは、搬送ローラ対３２，３３から、サクショングリッパ３４として形成されるグリッパ装置２１により受け取り可能である。サクショングリッパ３４は、図４に示すように、跳上げ式吸い口（Ｓｐｒｉｎｇｓａｕｇｅｒ）として形成されている。
【００２７】
図５に示した実施の形態では、グリッパ装置２１は、旋回可能なサクショングリッパ３６として形成されている。旋回可能なサクショングリッパ３６は、カムローラ伝動機構３７，３８により旋回可能に配置されている。
【００２８】
サクショングリッパ３６は、シートを位置Ａ，Ｂ，Ｃ，Ｄにおいて受け取るために、供給ドラム８の内部から周辺部へと旋回可能に支持されている。
【００２９】
カムローラ伝動機構３７，３８の制御カム３８は、回転可能に支持されており、回転位置に応じて旋回動作の時点を決定する。
【００３０】
この手段により、シートを様々な位置Ａ，Ｂ，Ｃ，Ｄで搬送路２１〜２５から受け取ることが可能である。
【００３１】
図７に示した実施の形態では、グリッパ装置２１が機械式のグリッパ３９として形成されている。機械式のグリッパ３９は、カムローラ伝動機構３７，３８により操作可能である。グリッパ３９は、グリッパフィンガ４１と、グリッパフィンガ４１と協働するグリッパ受け４２とを有している。
【００３２】
図６に示すように、制御カム３８は、駆動モータ４３によりベルト４４を介して調節される。サクション源４６に連通した回転弁４７は、サクショングリッパ２１；３４，３６の吸い込み空気を、使用したい搬送路２２〜２５の位置Ａ〜Ｄに応じて制御する。これとは異なり、吸い込み空気は、遠隔操作可能な電磁弁により制御されてもよい。
【００３３】
本実施の形態は、シリンダ搬送を行うデジタル式印刷機であるが、もちろん、ベルト搬送又はトレイ搬送が行われてもよく、供給ドラムからのシートの引き渡しは、搬送ベルト又はトレイへと行われる。
【符号の説明】
【００３４】
１  枚葉輪転印刷機、  ２  供給装置、  ３  シート、  ４  排出装置、  ６  印刷ステーション、  ７  供給ボード、  ８  供給ドラム、  ９  渡しドラム、  １０  駆動装置（８）、  １１  渡しドラム、  １２  印刷シリンダ（インクジェットシリンダ）、  １３  インクジェット式印刷ユニット、  １４  渡しドラム／貯えドラム、  １６  渡しドラム、  １７  チェーングリッパ、  １８  反転ドラム、  １９  渡しドラム、  ２１  グリッパ装置、  ２２  搬送路（Ａ）、  ２３  搬送路（Ｂ）、  ２４  搬送路（Ｃ）、  ２５  搬送路（Ｄ）、  ２６  シートパイル、  ２７  シートパイル、  ２８  シートパイル、  ２９  シートパイル、  ３２  搬送ローラ、  ３３  搬送ローラ、  ３４  サクショングリッパ（２１）、  ３６  サクショングリッパ（２１）、  ３７  制御ローラ、  ３８  制御カム、  ３９  グリッパ（機械式）、  ４１  グリッパフィンガ（３９）、  ４２  グリッパ受け（３９）、  ４３  駆動装置（３８）、  ４４  ベルト、  ４６  サクション源、  ４７  回転弁
【図１】
0006584255.tif 000002
【図２】
0006584255.tif 000003
【図３】
0006584255.tif 000004
【図４】
0006584255.tif 000005
【図５】
0006584255.tif 000006
【図６】
0006584255.tif 000007
【図７】
0006584255.tif 000008